(57)【要約】      （修正有）【課題】従来の前照灯にはない効用を発揮するとともに、その用途が前照灯や携帯用の懐中電灯のみならず、さらに他の用途を備えている前照灯を提供する。【解決手段】照明機器と電池を収容し、端部に第一開口１１ａを有する筒状の第一本体１１と、第一本体１１に対して相対的にスライド自在であり、第一開口１１ａに対して当接自在な第二開口１２ａを備え、さらに透光窓１２ｂを備えた筒状の第二本体１２と、第一本体１１と第二本体１２の内部に収容され、透明で筒状の側方照射部１３とから構成され、第一開口１１ａと第二開口１２ａの閉じ姿勢では側方照射部１３が外部から視認できず、透光窓１２ｂを介して照明が前方に発せられ、第一開口１１ａと第二開口１２ａの開き姿勢では側方照射部１３が外部に臨み、照明が前方と側方に発せられ、透光窓１２ｂの周囲の脚の先端１２ｃ’が透光窓１２ｂよりも突出している。【選択図】図２
2015223885.tif 000002
【特許請求の範囲】
【請求項１】
照明機器と電池を収容し、端部に第一開口を有する筒状の第一本体と、
前記第一本体に対して相対的にスライド自在であり、該第一本体の前記第一開口に対して当接自在な第二開口を備え、該第二開口の反対側に透光窓を備えた筒状の第二本体と、  前記第一本体と前記第二本体の内部に収容され、透明で筒状の側方照射部と、から構成され、
前記第一開口と前記第二開口が当接した閉じ姿勢では、前記側方照射部が外部から視認できず、前記透光窓を介して照明が前方に発せられ、
前記第一開口と前記第二開口が離れた開き姿勢では、前記側方照射部が外部に臨み、照明が前方と側方に発せられ、
前記第二本体において、前記透光窓の周囲には突出部があり、該突出部の先端が該透光窓よりも突出している前照灯。
【請求項２】
前記突出部は前記第二本体の周方向に複数配置される脚である請求項１に記載の前照灯。
【請求項３】
前記側方照射部が前記第一本体に固定され、該側方照射部のうち該第一本体に対して前記第二本体がスライドする方向の二箇所には第一係合突起と第二係合突起が設けられており、
前記第二本体の前記第二開口には第三係合突起が設けられており、
前記閉じ姿勢において第一係合突起と第三係合突起が係合して該閉じ姿勢が保持され、  前記開き姿勢において第二係合突起と第三係合突起が係合して該開き姿勢が保持される請求項１または２に記載の前照灯。
【請求項４】
前記第一本体に紐を引っ掛ける爪が備えてある請求項１〜３のいずれかに記載の前照灯。
【請求項５】
請求項１〜４のいずれかに記載の前照灯において、二輪車に着脱可能とされ、二輪車装着時は前照灯モードであり、二輪車取り外し時はランプモードであって、
前記第一本体には、メイン操作部とサブ操作部が備えてあり、
前記メイン操作部では、前記前照灯モードにおいて点灯と消灯の切替えが実行され、前記ランプモードにおいて点灯と点滅と消灯の切替えが実行され、
前記サブ操作部では、前記ランプモードにおいて色変更が実行され、
前記照明機器は、前照灯用およびランプ用の第一発光素子と、ランプ用であって第一発光素子と色の異なる第二発光素子と、これらの発光素子を搭載した基板とからなる前照灯。
【発明の詳細な説明】
【技術分野】
【０００１】
本発明は、自転車や自動二輪車等の二輪車に取り付けられる前照灯に関するものである。
【背景技術】
【０００２】
自転車や自動二輪車等の二輪車には一般に、そのハンドルや前ホーク、またはバスケット下方などの場所に前照灯が取り付けられている。
【０００３】
ところで、特許文献１には、前照灯を収容する筒状のホルダに前照灯を収容して固定するとともに、ホルダから前照灯を取り外し、携帯用の懐中電灯として使用可能な前照灯が開示されている。
【０００４】
このように特許文献１で開示される前照灯は、文字通りの前照灯のみならず、携帯用の懐中電灯としての用途も備えていることから、優れた前照灯ではあるものの、さらにその他の用途に適用可能な構成を備えていない。
【先行技術文献】
【特許文献】
【０００５】
【特許文献１】特開２０１３−１８０５９２号公報
【発明の概要】
【発明が解決しようとする課題】
【０００６】
本発明は上記する問題に鑑みてなされたものであり、二輪車に取り付けられる前照灯に関し、前照灯に適用された際に従来の前照灯にはない効用を発揮するとともに、その用途が前照灯や携帯用の懐中電灯のみならず、さらに他の用途を備えている前照灯を提供することを目的とする。
【課題を解決するための手段】
【０００７】
前記目的を達成すべく、本発明による前照灯は、照明機器と電池を収容し、端部に第一開口を有する筒状の第一本体と、前記第一本体に対して相対的にスライド自在であり、該第一本体の前記第一開口に対して当接自在な第二開口を備え、該第二開口の反対側に透光窓を備えた筒状の第二本体と、前記第一本体と前記第二本体の内部に収容され、透明で筒状の側方照射部と、から構成され、前記第一開口と前記第二開口が当接した閉じ姿勢では、前記側方照射部が外部から視認できず、前記透光窓を介して照明が前方に発せられ、前記第一開口と前記第二開口が離れた開き姿勢では、前記側方照射部が外部に臨み、照明が前方と側方に発せられ、前記第二本体において、前記透光窓の周囲には突出部があり、該突出部の先端が該透光窓よりも突出しているものである。
【０００８】
本発明の前照灯は、自転車や自動二輪車等の二輪車に取り付けられて文字通り前照灯として機能することの他にも、二輪車から取り外された際に、携帯用の懐中電灯のほか、テーブル等に載置されるランタンとしても機能する、すなわち、多様な用途を備えた前照灯である。したがって、本明細書において「ランプ」とは、携帯用の懐中電灯やランタン等が包含される。
【０００９】
前照灯の構成は、相対的にスライド自在な第一本体と第二本体の内部に透明で筒状の側方照射部が収容されている。第一本体と第二本体の端部同士を当接させた閉じ姿勢では、第二本体の透光窓を介して照明が前方に照射される、通常の二輪車走行時の前照灯として機能する。
【００１０】
これに対し、第一本体と第二本体を開き姿勢とした際には、透明で筒状の側方照射部が外部に臨み、この側方照射部を介して前照灯の側面から３６０度方向に照明を照射することができる。
【００１１】
さらに、本発明の前照灯は、第二本体において、透光窓の周囲に突出部があり、突出部の先端が透光窓よりも突出している構成を備えている。ここで、透光窓の周囲に配設される突出部の実施の形態としては、第二本体の周方向に複数配置される脚を挙げることができ、たとえば前照灯がランタン等に使用される際に、複数の脚がテーブルに直接載置される。
【００１２】
この構成により、前照灯をランタンとして使用するに当たり、たとえばテーブルに脚の先端を載置して使用する際に、透光窓と脚の先端の間に離間が存在することから、側方照射部から３６０度側方に照明が照射されることに加えて、透光窓を介した間接照明を照射することができる。さらに、透光窓へのキズ付きや汚れを防止することができる。
【００１３】
また、自転車に前照灯が取り付けられて文字通り前照灯として使用される場合において、前照灯を開き姿勢として使用することにより、前方への照射に加えて側方照射部からの照射も実行されることから、夜間や暗がりにおいて自転車の側方からの被視認性を向上させることができる。
【００１４】
また、本発明による前照灯の実施の形態において、前記側方照射部が前記第一本体に固定され、該側方照射部のうち該第一本体に対して前記第二本体がスライドする方向の二箇所には第一係合突起と第二係合突起が設けられており、前記第二本体の前記第二開口には第三係合突起が設けられており、前記閉じ姿勢において第一係合突起と第三係合突起が係合して該閉じ姿勢が保持され、前記開き姿勢において第二係合突起と第三係合突起が係合して該開き姿勢が保持されるものである。
【００１５】
前照灯が文字通り前照灯として機能する閉じ姿勢においては、側方照射部の第一係合突起と第二本体の第三係合突起が係合することにより、閉じ姿勢を安定的に保持することができる。一方、前照灯がランタン等のランプとして機能する開き姿勢においては、側方照射部の第二係合突起と第二本体の第三係合突起が係合し、開き姿勢を安定的に保持することができる。なお、開き姿勢として二輪車の前照灯に適用した場合でも、開き姿勢が安定的に保持されることから、走行時の振動等によっても第一本体と第二本体ががたついたりしない。
【００１６】
また、前照灯を構成する第一本体には、紐を引っ掛ける爪が備えてあるのがよい。前照灯をたとえば携帯用の懐中電灯として使用する場合に、爪に紐を引っ掛け、紐を首や腕にぶら下げる等して使用することができる。
【００１７】
さらに、本発明による前照灯の他の実施の形態において、自転車等の二輪車に着脱可能とされ、二輪車装着時は前照灯モードであり、二輪車取り外し時はランプモードであって、前記第一本体には、メイン操作部とサブ操作部が備えてあり、前記メイン操作部では、前記前照灯モードにおいて点灯と消灯の切替えが実行され、前記ランプモードにおいて点灯と点滅と消灯の切替えが実行され、前記サブ操作部では、前記ランプモードにおいて色変更が実行され、前記照明機器は、前照灯用およびランプ用の第一発光素子と、ランプ用であって第一発光素子と色の異なる第二発光素子と、これらの発光素子を搭載した基板とからなるものである。
【００１８】
「前照灯モード」とは、前照灯が自転車等に取り付けられ、文字通り前照灯として機能するモードである。一方、「ランプモード」とは、前照灯が自転車等から取り外され、携帯用の懐中電灯として、あるいはランタンとして、さらには子供の遊具として機能するモードである。メイン操作部により、前照灯モードにおいては点灯と消灯の切替えが実行され、ランプモードにおいては点灯と点滅と消灯の切替えが実行される。また、たとえば二輪車本体に固定されたブラケットから前照灯を取り外して携帯用懐中電灯やランタン等のランプとして、あるいは子供がランプを光らせながら遊ぶ遊具として使用するランプモードにおいては、サブ操作部を操作することにより、点灯モードや点滅モードにおける光色変更、すなわち、白光色や淡黄色光から赤色や青色、虹色等に光色を変更することができる。
【００１９】
なお、照明機器の構成要素である、基板の上に搭載される発光素子等の光源としては、第一発光素子として白色光や淡黄色光を発するLEDが適用でき、第二発光素子として赤色
、青色、虹色等の光を発するLEDが適用できる。
【発明の効果】
【００２０】
以上の説明から理解できるように、本発明による前照灯によれば、二輪車に取り付けられて前照灯として使用される用途においても従来の前照灯にはない効用を発揮するとともに、携帯用の懐中電灯としての用途のほか、ランタン等に使用した際にも優れた効用を発揮することができる。
【図面の簡単な説明】
【００２１】
【図１】自転車に前照灯ユニットが取り付けられている状態を示した斜視図である。
【図２】（ａ）は前照灯の閉じ姿勢を示した斜視図であり、（ｂ）は前照灯の開き姿勢を示した斜視図である。
【図３】（ａ）は図２のIIIa−IIIa矢視図であり、（ｂ）はIIIb−IIIb矢視図である。
【図４】（ａ）は前照灯本体に対して電池蓋が固定されている状態を示した斜視図であり、（ｂ）は電池蓋を回動している状態を示した斜視図である。
【図５】前照灯本体から電池蓋が取り外された状態を示した斜視図である。
【図６】ブラケットの構成を説明した斜視図である。
【図７】ブラケットに対し、前照灯を取り付ける前の状態を示した斜視図である。
【図８】ブラケットに対し、前照灯を取り付けている状況を説明した斜視図である。
【図９】ブラケットに対して前照灯が取り付けられ、前照灯ユニットが形成された状態を示した斜視図である。
【発明を実施するための形態】
【００２２】
以下、図面を参照して本発明の前照灯の実施の形態を説明する。なお、図示例は前照灯とブラケットからなる前照灯ユニットの固定される二輪車として自転車が示されているが、自動二輪車に前照灯ユニットが固定されてもよいことは勿論のことである。また、図示例は自転車の前ホークに前照灯ユニットが固定されている形態であるが、ハンドルやバスケット下面等に前照灯ユニットが固定される形態であってもよいことは勿論のことである。さらに、図示例は、側方照射部が第一本体に固定され、脚を備えた第二本体が側方照射部に対して相対的にスライドする形態であるが、側方照射部が第二本体に固定され、第一本体が側方照射部に対して相対的にスライドする形態であってもよいことは勿論のことである。
【００２３】
（前照灯とブラケットからなる前照灯ユニットが自転車に取り付けられている態様）
まず、図１を参照して本発明の前照灯とブラケットからなる前照灯ユニットが自転車に取り付けられている状態を説明する。
【００２４】
前照灯ユニット１００は、自転車のヘッドパイプ２に回転自在に支持されて不図示のハンドルと一体に回転する前ホーク１に取り付けられるブラケット２０と、ブラケット２０に対してその背面１５ａが取り付けられる前照灯１０とから構成される。
【００２５】
なお、前ホーク１において前照灯ユニット１００の上方には不図示のバスケットが取り付けられてもよい。
【００２６】
自転車の前ホーク１に前照灯ユニット１００が取り付けられた状態において、前照灯１０の透光窓１２ｂを介して照明が透過され（Ｘ１方向）、前照灯として供される。
【００２７】
（前照灯の詳細な説明）
図２〜図５を参照して、前照灯１０の詳細な構成と、前照灯１０の閉じ姿勢と開き姿勢について説明する。ここで、図２ａは前照灯１０の閉じ姿勢を示した図であり、図３ａはその縦断面図である。また、図２ｂは前照灯１０の開き姿勢を示した図であり、図３ｂはその縦断面図である。さらに、図４ａ、ｂ、図５は順に、前照灯本体から電池蓋を取り外す状況を示した図である。
【００２８】
前照灯１０は、照明機器１６と電池１７を収容し、端部に第一開口１１ａを有する筒状の第一本体１１と、第一本体１１に対して相対的にスライド自在であり（Ｙ１方向）、第一本体１１の第一開口１１ａに対して当接自在な第二開口１２ａを備え、第二開口１２ａの反対側に透光窓１２ｂを備えた筒状の第二本体１２と、第一本体１１と第二本体１２の内部に収容され、透明で筒状の側方照射部１３と、電池蓋１５とから大略構成されている。なお、本明細書では、第一本体１１と第二本体１２と側方照射部１３をまとめて前照灯本体１４と称し、電池蓋１５と区別するものとする。
【００２９】
第一本体１１は、側面にメイン操作部１１ｃとサブ操作部１１ｄが備えてある。メイン操作部１１ｃでは、前照灯モードにおいて点灯と消灯の切替えが実行され、ランプモードにおいて点灯と点滅と消灯の切替えが実行される。一方、サブ操作部１１ｄでは、ランプモードにおいて色変更が実行される。なお、各操作部１１ｃ、１１ｄは、図示例の操作ボタンのほか、操作レバー等であってもよい。
【００３０】
照明機器１６は、基板１６ａと、基板１６ａに搭載された白色光や淡黄色光を発する第一発光素子１６ｂ、不図示の赤色光、青色光、虹色光等を発する第二発光素子から構成されており、基板１６ａの背面にある電池１７を電源とする。発光素子１６ｂとしては、たとえば１ＷのLEDを使用することができる。なお、前照灯として機能する場合は、メイン
操作部１１ｃを押圧することによって白色光や淡黄色光が点灯され、照射される。一方、携帯用の懐中電灯やランタン等のランプとして、あるいは子供が遊びの一環として使用する場合は、メイン操作部１１ｃを押圧することによって点灯モードから点滅モードに切替えが実行され、サブ操作部１１ｄを押圧することによって白光色や淡黄色光から赤色や青色、虹色への光色変更が実行される。また、メイン操作部１１ｃを押圧することにより、点灯と消灯の間で調光をおこなうこともできる。たとえばメイン操作部１１ｃが操作ボタンからなる場合、操作ボタンを押すことで点灯と消灯の切替えや、点灯と点滅と消灯の切替えが実行され、操作ボタンを長押しすることで調光制御を実行することができる。
【００３１】
第二本体１２は、筒状の本体側方から四本の脚１２ｃ（突出部）が張り出し、脚の先端１２ｃ’は、図３ａ、ｂで示すように透光窓１２ｂよりも長さtだけ突出している。
また、第二本体１２の第二開口１２ａには第三係合突起１２ａ’が内側に張り出している。
【００３２】
側方照射部１３はたとえば透明の筒体であり、その一端が第一開口１１ａを介して第一本体１１の内部に嵌まり込んでおり、さらに、側方照射部１３のうち、第一本体１１に対して第二本体１２がスライドする方向（Ｙ１方向）の二箇所には、第一係合突起１３ａと第二係合突起１３ｂが設けられている。
【００３３】
図２ａ、図３ａで示すように、第一本体１１の第一開口１１ａと第二本体１２の第二開口１２ａが当接した閉じ姿勢では、側方照射部１３は外部から視認できず、透光窓１２ｂを介して照明が前方（Ｘ１方向）に発せられる自転車用前照灯（前照灯モード）や前方のみ照射する懐中電灯（ランプモード）としての機能を果たす。
【００３４】
一方、図２ｂ、図３ｂで示すように、第一開口１１ａと第二開口１２ａが離れた開き姿勢では、側方照射部１３が外部に臨み、照明が前方（Ｘ１方向）と側方（Ｘ２方向）に発せられる。開き姿勢は主に、図１で示す前照灯ユニット１００の状態から前照灯１０がブラケット２０から取り外され、携帯用として使用される場合（ランプモード）に機能を果たす。その具体的態様は、携帯用の懐中電灯やランタンである。
【００３５】
前照灯１０がランタンとして使用される場合は、たとえば不図示のテーブルに脚の先端１２ｃ’が載置され、使用される。この際、図３ａ、ｂで示すように、透光窓１２ｂと脚の先端１２ｃ’の間に離間tが存在することから、側方照射部１３から３６０度側方に照
明が照射されることに加えて、透光窓１２ｂを介した間接照明を照射することができる。
また、透光窓１２ｂへのキズ付きや汚れを防止することができる。
【００３６】
なお、脚１２ｃは、図示例のように四脚でなく、前照灯１０が安定的に載置されるように１２０度間隔で三脚の形態などであってもよい。
【００３７】
また、自転車に前照灯１０が取り付けられて前照灯として使用される場合において、図２ｂ、図３ｂで示すように前照灯１０を開き姿勢として使用することもできる。この使用形態では、側方照射部１３からの照射も実行されることから、夜間や暗がりにおいて自転車の側方からの被視認性を向上させることができる。
【００３８】
また、図２ａ、図３ａで示す前照灯として機能する閉じ姿勢においては、側方照射部１３の第一係合突起１３ａと第二本体１２の第三係合突起１２ａ’が係合し、閉じ姿勢を保持することができる。
【００３９】
一方、図２ｂ、図３ｂで示すランタン等のランプとして機能する開き姿勢においては、側方照射部１３の第二係合突起１３ｂと第二本体１２の第三係合突起１２ａ’が係合し、開き姿勢を保持することができる。なお、図示を省略するが、係合突起同士の係合によって姿勢保持を図る形態のほかにも、たとえば側方照射部１３の側面と第二本体１２の内壁面の間の摩擦係合により、姿勢保持を図る形態などであってもよい。
【００４０】
第一本体１１の後方には電池蓋１５が着脱自在に取り付けられている。電池蓋１５は、図４ａで示すように、その表面中央に凹部１５ｂを有し、凹部１５ｂの開口エッジには、歯抜け部１５ｃ’を有する第二フランジ１５ｃが備えてある。また、凹部１５ｂの中央位置には、二輪車に固定されているブラケット２０に対して前照灯１０が取り付けられているか否かを検出する検出ボタン１５ｄが設けられている。さらに、電池蓋１５の表面の直径線状の２箇所に不図示の紐を引っ掛ける爪１５ｅが備えてあり、前照灯１０をたとえば携帯用の懐中電灯として使用する場合に、爪１５ｅに紐を引っ掛け、紐を首や腕にぶら下げる等して使用することができるようになっている。
【００４１】
図４ｂで示すように、前照灯本体１４に対して電池蓋１５を回動することにより（Ｚ１方向）、図５で示すように前照灯本体１４から電池蓋１５を取り外すことができ、第一本体１１内に収容されている電池１７の交換をおこなうことができる。
【００４２】
図５で示すように、電池蓋１５はその端部に第三フランジ１５ｆを備えている。一方、第一本体１１はその端部に第三フランジ１５ｆが通過する歯抜け部１１ｂ’を備えた第四フランジ１１ｂを備えている。
【００４３】
第一本体１１に対して電池蓋１５を取り付ける際は、第三フランジ１５ｆを歯抜け部１１ｂ’を介して第四フランジ１１ｂの背面に挿入し、前照灯本体１４に対して電池蓋１５を回動し、第三フランジ１５ｆを第四フランジ１１ｂに係合させることで双方の固定を図ることができる。そして、前照灯本体１４から電池蓋１５を取り外す際は、この逆の操作により、電池蓋１５を回動させて第四フランジ１１ｂから第三フランジ１５ｆを係合解除し、第三フランジ１５ｆを歯抜け部１１ｂ’を介して引き抜くことで電池蓋１５の取り外しが実行できる。
【００４４】
また、図５で示すように、電池蓋１５と前照灯本体１４との係合部の径ｒ２は、電池蓋１５に設けられた凹部１５ｂの内径ｒ１よりも大きくなっている。このことにより、後述するように、ブラケット２０から前照灯１０を取り外すためにブラケット２０に対して前照灯１０を相対的に回動させた際に、電池蓋１５が回動して前照灯本体１４から外れることを解消できる。
【００４５】
（ブラケットの構成とブラケットに対して前照灯を取り付ける方法の説明）
図６〜９を参照して、ブラケットの構成と、ブラケットに対して前照灯を取り付ける方法を説明する。
【００４６】
図６で示すように、ブラケット２０は、自転車の前ホーク１に固定される固定片２１と、固定片２１の前ホーク１とは反対側の端部に設けられた取り付け片２３と、取り付け片２３の前面に設けられた筒状の凸部２４と、凸部２４の内側に設けられた押圧突起２５とから大略構成されている。このように、前照灯１０の背面１５ａが取り付けられるブラケット２０は、従来の照明灯を包囲するホルダに比して格段に小型であり、したがって、ブラケット２０から前照灯１０が取り外された状態においてブラケット２０が自転車全体の外観性に与える影響は極めて少ない。
筒状の凸部２４は、その一部に側方に広がる第一フランジ２４’を備えている。
【００４７】
図７で示すように、ブラケット２０に対して前照灯１０を取り付ける際は、ブラケット２０の第一フランジ２４’と電池蓋１５の第二フランジ１５ｃの歯抜け部１５ｃ’を位置決めし、凸部２４に対して凹部１５ｂを挿入していき（Ｙ２方向）、図８で示すように第二フランジ１５ｃの歯抜け部１５ｃ’を介して第一フランジ２４’を凹部１５ｂ内に挿入する。
【００４８】
次に、図９で示すようにブラケット２０に対して前照灯１０を回動させることにより（Ｚ２方向）、第一フランジ２４’と第二フランジ１５ｃが係合し、ブラケット２０に対する前照灯１０の固定が図られ、前照灯ユニット１００が形成される。
【００４９】
図９で示す前照灯ユニット１００では、少なくともメイン操作部１１ｃが操作し易い位置等、予め決められた位置に位置決めされるように設定されている。メイン操作部１１ｃの位置決め位置としては、ブラケット２０に対して取り付けられた前照灯１０の側面の頂上や左右横、左右斜め上方が挙げられる。たとえば前照灯ユニット１００の上に不図示のバスケットがある場合、メイン操作部１１ｃが前照灯１０の頂上にあるとバスケットがメイン操作部１１ｃの操作の邪魔になるため、このような場合は前照灯１０の側面の左右横や、左右斜め上方など、操作の際にバスケットが邪魔にならず、かつ指が届いて操作し易い位置がメイン操作部１１ｃの位置決め位置として設定される。
【００５０】
また、ブラケット２０と前照灯１０、前照灯本体１４と電池蓋１５はいずれも、一方に対して他方を回動させて着脱する構成となっている。ここで、電池蓋１５と前照灯本体１４との係合部の径ｒ２が電池蓋１５の背面１５ａの凹部１５ｂの内径ｒ１よりも大きく設定されていることから、ブラケット２０から前照灯１０を回動させて取り外そうとした際には、相対的に小径の凹部１５ｂと凸部２４との回動に要するトルクは大径の電池蓋１５と前照灯本体１４との回動に要するトルクより小さいため、前照灯本体１４に対して電池蓋１５が回動されることなく、ブラケット２０に対して前照灯１０が回動されることになる。したがって、ブラケット２０から前照灯１０を取り外すためにブラケット２０に対して前照灯１０を相対的に回動させた際に、電池蓋１５が回動して前照灯本体１４から外れることはない。なお、電池交換の際には、ブラケット２０から前照灯１０が取り外され、次いで電池蓋１５を回動させて前照灯本体１４から電池蓋１５を取り外すことにより、電池交換をおこなうことができる。
【００５１】
図８で示すように、第一フランジ２４’が凹部１５ｂ内に挿入された際に、押圧突起２５が凹部１５ｂ内にある検出ボタン１５ｄを押圧する。
【００５２】
図示を省略するが、前照灯１０内には、前照灯モードとランプモードの２つのモードに切替える制御部が備えられており、検出ボタン１５ｄが押圧されると、制御部にて前照灯モードに切替え制御が実行される。そして、この前照灯モードにおいては、点滅や色変更ができず、たとえば白色光による点灯のみが実行されることになる。すなわち、サブ操作部１１ｄを押圧しても点滅モードへの変更や色変更は実行できない。なお、たとえばメイン操作部１１ｃを操作することにより、点灯状態において強点灯と弱点灯の切替え等をおこなうことは可能である。
【００５３】
一方、検出ボタン１５ｄが押圧されていない際には、制御部にてランプモードに切替え制御が実行される。ランプモードでは、サブ操作部１１ｄによる操作が実行可能となる。
既述するように、メイン操作部１１ｃを押圧することによって点灯モードから点滅モードに切替えが実行され、メイン操作部１１ｃをたとえば長押しすることで調光制御が実行され、サブ操作部１１ｄを押圧することによって白光色や淡黄色光から赤色や青色、虹色への光色変更が実行される。
【００５４】
このように、図示する前照灯１０によれば、文字通り前照灯として使用される場合において、開き姿勢として使用することにより、前方への照射に加えて側方照射部１３からの照射も実行されることから、夜間や暗がりにおいて自転車の側方からの被視認性を向上させることができる。さらに、前照灯１０を携帯用の懐中電灯のほかにもランタンとして使用することができ、このランタンとしての使用に当たり、たとえばテーブルに脚の先端１２ｃ’を載置して使用する際に、透光窓１２ｂと脚の先端１２ｃ’の間に離間tが存在す
ることから、側方照射部１３から３６０度側方に照明が照射されることに加えて、透光窓１２ｂを介した間接照明を照射することができ、ランタンとして優れた効用を発揮することができる。また、透光窓１２ｂへのキズ付きや汚れを防止することができる。
【００５５】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００５６】
１…前ホーク、２…ヘッドパイプ、１０…前照灯、１１…第一本体、１１ａ…第一開口、１１ｂ…第四フランジ、１１ｂ’…歯抜け部、１１ｃ…メイン操作部、１１ｄ…サブ操作部、１２…第二本体、１２ａ…第二開口、１２ａ’…第三係合突起、１２ｂ…透光窓、１２ｃ…脚（突出部）、１２ｃ’…脚の先端、１３…側方照射部、１３ａ…第一係合突起、１３ｂ…第二係合突起、１４…前照灯本体、１５…電池蓋、１５ａ…背面、１５ｂ…凹部、１５ｃ…第二フランジ、１５ｃ’…歯抜け部、１５ｄ…検出ボタン、１５ｅ…爪、１５ｆ…第三フランジ、１６…照明機器、１６ａ…基板、１６ｂ…発光素子（LED）、１７
…電池、２０…ブラケット、２１…固定片、２３…取り付け片、２４…凸部、２４’…第一フランジ、２５…押圧突起、１００…前照灯ユニット
【図１】
2015223885.tif 000003
【図２】
2015223885.tif 000004
【図３】
2015223885.tif 000005
【図４】
2015223885.tif 000006
【図５】
2015223885.tif 000007
【図６】
2015223885.tif 000008
【図７】
2015223885.tif 000009
【図８】
2015223885.tif 000010
【図９】
2015223885.tif 000011